(57)【要約】【課題】例えばドイツ、スウェーデン、フィンランド等の湿度が非常に高い寒冷地であっても、高性能を維持できる空気調和機の室外機を提供する。【解決手段】ケーシング１は、前方吸込口３を前板部に、側方吸込口４を一方の側板部に夫々有する。ケーシング１内には熱交換器２が配置されている。熱交換器２は、ケーシング１の前板部に対向する第１熱交換部５と、ケーシング１の一方の側板部に対向し、かつ、基部が第１熱交換部５に連なる第２熱交換部６とを有する。第１熱交換部５と第２熱交換部６とは、上面視で略Ｌ字状をなし、かつ、斜めに屈曲している。ケーシング１の一方の側板部と第２熱交換部６の基部との間の距離Ｄ１は、ケーシング１の一方の側板部と第２熱交換部６の先端との間の距離Ｄ２に比べて大きくなっている。【選択図】図１
2009270784.tif 000002
【特許請求の範囲】
【請求項１】
前板部および一方の側板部に夫々通気開口部(３，４)が形成されたケーシング(１)と、
上記ケーシング(１)内に配置されると共に、上記ケーシング(１)の前板部および一方の側板部に夫々対向する前部(５)と側部(６)とを有し、上記前部(５)と上記側部(６)とは、上面視で略Ｌ字状をなす熱交換器(２)と
を備え、
上記ケーシング(１)の一方の側板部と上記熱交換器(２)の上記前部(５)に連なる上記側部(６)の基部との間の距離(Ｄ１)は、上記ケーシング(１)の一方の側板部と上記熱交換器(２)の上記側部(６)の先端との間の距離(Ｄ２)に比べて大きいことを特徴とする空気調和機の室外機。
【請求項２】
請求項１に記載の空気調和機の室外機において、
上記熱交換器(２)の上記側部(６)の先端と上記ケーシング(１)の一方の側板部との間に配置された断熱材(１０１)を備えたことを特徴とする空気調和機の室外機。
【発明の詳細な説明】
【技術分野】
【０００１】
本発明は空気調和機の室外機に関する。
【背景技術】
【０００２】
従来の空気調和機の室外機としては、特開平１１−１４１９１９号公報（特許文献１）に記載されたものがある。この室外機は、図３に示すように、ケーシング１０１と、ケーシング１０１内に配置された熱交換器１０２と、屋外空気をケーシング１０１内に吸い込む送風機１０７とを備えている。
【０００３】
上記ケーシング１０１においては、前板部に前方吸込口１０３が設けられていると共に、一方の側板部に側方吸込口１０４が設けられている。そして、上記ケーシング１０１の後板部には後方吹出口１０８が設けられている。
【０００４】
上記送風機１０７は熱交換器１０２の下流側に配置されている。そして、上記送風機１０７は、前方吸込口１０３および側方吸込口１０４から屋外空気を吸い込み、後方吹出口１０８を介して前方に吹き出す。
【０００５】
上記熱交換器１０２は、上面視でＬ字状をなすように屈曲している。この熱交換器１０２の屈曲角は直角に設定されている。また、上記熱交換器１０２とケーシング１０１の一方の側板部との間の距離は、非常に狭くなっている。
【０００６】
ところで、上記従来の空気調和機の室外機を、例えばドイツ、スウェーデン、フィンランド等の湿度が非常に高い寒冷地で使用すると、熱交換器１０２が着霜する。このとき、上記熱交換器１０２とケーシング１０１の一方の側板部との間の距離が非常に狭いため、熱交換器１０２の霜が成長して側方吸込口１０４に達し、側方吸込口１０４を塞いでしまう。
【０００７】
このように、上記側方吸込口１０４が霜で塞がれた状態では、十分な量の屋外空気を熱交換器１０２に送ることができない。このため、除霜運転を行うが、除霜運転では、熱交換器１０２の表面の霜を融かせるが、側方吸込口１０４を塞ぐ霜を融かすことができない。すなわち、上記熱交換器１０２の表面に付いた霜は除霜運転で融かすことができても、ケーシング１０１の一方の側板部に付いた霜は除霜運転で融かすことができない。
【０００８】
したがって、上記側方吸込口１０４が霜で塞がれたまま、暖房運転が行われることになるので、熱交換器１０２を通過する屋外空気の量が減少し、室外機の性能が低下してしまうという問題がある。
【特許文献１】特開平１１−１４１９１９号公報（図１）
【発明の開示】
【発明が解決しようとする課題】
【０００９】
そこで、本発明の課題は、例えばドイツ、スウェーデン、フィンランド等の湿度が非常に高い寒冷地であっても、高性能を維持できる空気調和機の室外機を提供することにある。
【課題を解決するための手段】
【００１０】
上記課題を解決するため、本発明の空気調和機の室外機は、
前板部および一方の側板部に夫々通気開口部が形成されたケーシングと、
上記ケーシング内に配置されると共に、上記ケーシングの前板部および一方の側板部に夫々対向する前部と側部とを有し、上記前部と上記側部とは、上面視で略Ｌ字状をなす熱交換器と
を備え、
上記ケーシングの一方の側板部と上記熱交換器の上記前部に連なる上記側部の基部との間の距離は、上記ケーシングの一方の側板部と上記熱交換器の上記側部の先端との間の距離に比べて大きいことを特徴としている。
【００１１】
上記構成の空気調和機の室外機によれば、上記ケーシングの一方の側板部と熱交換器の前部に連なる側部の基部との間の距離は、ケーシングの一方の側板部と熱交換器の側部の先端との間の距離に比べて大きくなっているので、熱交換器の側部の基部が着霜しても、この基部の霜がケーシングの一方の側板部に達するのを防ぐことができる。
【００１２】
したがって、上記ケーシングの一方の側板部の吸込口が霜で塞がれないようにして、大量の屋外空気を熱交換器に送り続けることができる。
【００１３】
よって、上記室外機は、例えばドイツ、スウェーデン、フィンランド等の湿度が非常に高い寒冷地であっても、高性能を発揮し続けることができる。
【００１４】
一実施形態の空気調和機の室外機は、
上記熱交換器の上記側部の先端と上記ケーシングの一方の側板部との間に配置された断熱材を備える。
【００１５】
上記実施形態の空気調和機の室外機によれば、上記熱交換器の側部の先端とケーシングの一方の側板部との間に断熱材を配置しているので、その間の距離が短くても、熱交換器の側部の先端の霜が成長してケーシングの一方の側板部に達するのを防ぐことができる。
【発明の効果】
【００１６】
本発明の空気調和機の室外機によれば、ケーシングの一方の側板部と熱交換器の前部に連なる側部の基部との間の距離は、ケーシングの一方の側板部と熱交換器の側部の先端との間の距離に比べて大きくなっているので、ケーシングの一方の側板部の吸込口が霜で塞がれないようにして、大量の屋外空気を熱交換器に送り続けることができる。
【００１７】
したがって、例えばドイツ、スウェーデン、フィンランド等の湿度が非常に高い寒冷地であっても、高性能を維持できる。
【発明を実施するための最良の形態】
【００１８】
以下、本発明の空気調和機の室外機を図示の実施の形態により詳細に説明する。
【００１９】
図１は、本発明の一実施の形態の空気調和機の室外機の要部を水平面で切った断面を模式的に示した図である。
【００２０】
上記空気調和機の室外機は、ケーシング１と、このケーシング１内に配置され、冷媒と屋外空気との間で熱交換を行う熱交換器２とを備えている。
【００２１】
上記ケーシング１内には前方吸込口３および側方吸込口４を介して屋外空気が流入する。また、上記ケーシング１は、前方吸込口３および側方吸込口４から流入した屋外空気を吹き出すための後方吹出口（図示せず）を後板部に有している。なお、上記前方吸込口３および側方吸込口４は通気開口部の一例である。
【００２２】
上記前方吸込口３はケーシング１の前板部に設けられている一方、側方吸込口４はケーシング１の一方の側板部に設けられている。また、上記側方吸込口４は、ケーシング１の一方の側板部における前後方向の中央部のみに設けられている。
【００２３】
上記熱交換器２は、ケーシング１の前板部に対向する第１熱交換部５と、ケーシング１の一方の側板部に対向する第２熱交換部６とを有している。この第１熱交換部５と第２熱交換部６とは、上面視で略Ｌ字状なし、かつ、斜めに屈曲している。より詳しくは、上記第２熱交換部６は、第１熱交換部５に対して上面視で９２°の角度をなしている。これにより、上記第１熱交換部５に連なる第２熱交換部６の基部と、ケーシング１の一方の側板部との間の距離Ｄ１は、第２熱交換部６の先端とケーシング１の一方の側板部との間の距離Ｄ２よりも大きくなっている。ここで、上記距離Ｄ１は９ｍｍに設定されている。なお、上記第１熱交換部５は熱交換器の前部の一例であり、第２熱交換部６は熱交換器の側部の一例である。
【００２４】
上記第２熱交換部６の先端は、ケーシング１の一方の側板部とケーシング１の後板部とからなる角部に対向している。この角部には吸込口が設けられていない。このため、室外空気が第２熱交換部６の前側の端部を通過しにくくなっている。
【００２５】
また、図示しないが、上記ケーシング１は、上記熱交換器２に屋外空気を送る送風機と、その冷媒を圧縮する圧縮機とを収容している。
【００２６】
上記構成の空気調和機の室外機によれば、熱交換器２が着霜しても、距離Ｄ１が距離Ｄ２に比べて大きくなっているので、第２熱交換部６の基部（前板部側の端部）の霜が側方吸込口４に達するのを防ぐことができる。
【００２７】
したがって、上記側方吸込口４が霜で塞がらないようにして、側方吸込口４および前方吸込口３から熱交換器２に十分な空気を送ることができるので、例えばドイツ、スウェーデン、フィンランド等であっても、高性能を維持できる。
【００２８】
また、上記距離Ｄ２は距離Ｄ１に比べて小さくなっているため、第２熱交換部６の前側の端部の霜はケーシング１の一方の側板部に達するが、霜が達した箇所（ケーシング１の一方の側板部とケーシング１の後板部とからなる角部）には吸込口が設けられていないので、霜による吸込口の閉鎖も生じない。当然、上記熱交換器２に送られる空気の量が低下することもない。
【００２９】
図２は、比較例の空気調和機の室外機の要部を水平面で切った断面を模式的に示した図である。また、図２において、図１に示した上記実施の形態の構成部と同一構成部は、図１における構成部と同一参照番号を付している。
【００３０】
上記比較例の空気調和機の室外機は、ケーシング１と、このケーシング１内に配置され、上面視でＬ字形状に屈曲した熱交換器２０２とを備えている。つまり、上記比較例の空気調和機の室外機は、熱交換器２０２以外の構成が上記実施の形態の構成と同じに成っている。
【００３１】
上記熱交換器２０２は、上面視で直角に屈曲されており、ケーシング１の一方の側板部との距離Ｄ３が距離Ｄ１に比べて小さくなっている。このため、上記側方吸込口４が霜で塞がれるので、熱交換器２０２に送る空気の量が低下してしまう。
【００３２】
したがって、上記比較例の空気調和機の室外機では、性能を高く維持することはできない。
【００３３】
上記比較例の空気調和機の室外機において、ケーシング１の一方の側板部と熱交換器２０２との間の距離Ｄ３を、上記実施の形態のようにＤ１と同じ距離にすると、熱交換器２０２において側方吸込口４に対向する部分の形状は２点鎖線で示すようになる。こうなると、上記熱交換器２０２において側方吸込口４に対向する部分は図１の第２熱交換部６に比べて短くなるため、熱交換器２０２は図１の熱交換器２よりも熱交換性能が劣ることになる。
【００３４】
以上から明らかなように、上記実施の形態の空気調和機の室外機は、熱交換器２の熱交換性能の低下を引き起こさずに、側方吸込口４が霜で塞がれるのを防ぐことができる。
【００３５】
上記実施の形態では、距離Ｄ１は９ｍｍに設定されていたが、７ｍｍを越える値であれば、その値に設定してもよい。本発明者は、上記距離Ｄ１が７ｍｍ以下だと、側方吸込口４が霜で塞がれてしまうことを確認している。
【００３６】
上記実施の形態では、第２熱交換部６の先端とケーシング１の一方の側板部との間には何も配置していなかったが、図４に示すように、第２熱交換部６の先端とケーシング１の一方の側板部との間に、断熱材の一例としてのポリエチレン材１０１を配置してもよい。このポリエチレン材１０１は、ケーシング１の一方の側板部の上部近傍から、その側板部の下部近傍まで延びている。
【００３７】
上記第２熱交換部６の先端とケーシング１の一方の側板部との間にポリエチレン材１０１を配置した場合、その間の距離が短くても、第２熱交換部６の先端の霜が成長してケーシングの一方の側板部に達するのを防ぐことができる。
【図面の簡単な説明】
【００３８】
【図１】図１は本発明の一実施の形態の空気調和機の室外機の要部の模式断面図である。
【図２】図２は比較例の空気調和機の室外機の要部の模式断面図である。
【図３】図３は従来の空気調和機の室外機の断面図である。
【図４】図４は上記実施の形態の変形例の空気調和機の室外機の要部の模式断面図である。
【符号の説明】
【００３９】
１  ケーシング
２  熱交換器
３  前方吸込口
４  側方吸込口
５  第１熱交換部
６  第２熱交換部
【図１】
2009270784.tif 000003
【図２】
2009270784.tif 000004
【図３】
2009270784.tif 000005
【図４】
2009270784.tif 000006